(57)【要約】【課題】患者などの必需品たる小物をまとめてベッドの枕元近くに置くことができ、小物を床に落とすことがなく、整理整頓が出来て必要な小物を直ぐ取り出せ、且つベッドの機能や配置条件を損なうことのないベッドサイド小物入れを提供する。【解決手段】複数のポケット２を有しベッド３のヘッド部４ないしサイド部５に跨乗自在である布製の小物収納具６と、ヘッド部４ないしサイド部５に跨乗した状態の小物収納具６を跨乗して止める取付金具７と、からなることで、ヘッド部４ないしサイド部５に小物収納具６を跨乗させ、その上に取付金具７を跨乗させて止め得る。これにより、複数のポケット２に小物を入れて整理出来、小物を床に落とすことなく必要な小物を直ぐ取り出せて、さらにヘッド部４ないしサイド部に小物収納具６を自由に跨乗状態で配置出来、小物を分散したポケット２に収納出来て、ベッドの機能や配置条件を損なうことがない。【選択図】図１
2010068906.tif 000002
【特許請求の範囲】
【請求項１】
複数のポケットを有し、ベッドのヘッド部ないしサイド部に跨乗自在である布製の小物収納具と、前記ヘッド部ないし前記サイド部に跨乗した状態の前記小物収納具を跨乗して止める取付金具とからなることを特徴とするベッドサイド小物入れ。
【請求項２】
請求項１記載のベッドサイド小物入れに、ティッシュペーパーの取出し口を有すると共に前記取付金具の跨乗部上に着脱自在とした箱入りティッシュペーパー収納部を載置させたことを特徴とするベッドサイド小物入れ。
【請求項３】
前記取付金具は、前記ベッドのヘッド部ないしサイド部に対する跨乗部と挟み部とで構成され、前記小物収納具の外側を構成する布に設けた挿通孔内に通すことで、前記ヘッド部ないし前記サイド部に跨乗状態の前記小物収納具を跨乗して設置する際、これらヘッド部ないしサイド部に直接当接しないようにした請求項１または２記載のベッドサイド小物入れ。
【請求項４】
前記取付金具は、前記跨乗部の長さが調整可能とされて、その調整範囲内で前記ヘッド部ないし前記サイド部に跨乗され前記小物収納具が止められるようにした請求項１ないし３のいずれか１項に記載のベッドサイド小物入れ。
【請求項５】
前記小物収納具の複数のポケットのうち少なくとも１つは、ポケット内を透視可能な柔軟素材にて作られている請求項１ないし４のいずれか１項に記載のベッドサイド小物入れ。
【請求項６】
前記複数のポケットは、前記ヘッド部ないし前記サイド部に跨乗してなる前記小物収納具のベッド側及び反ベッド側の双方に設けられている請求項１ないし５のいずれか１項に記載のベッドサイド小物入れ。
【発明の詳細な説明】
【技術分野】
【０００１】
本発明は、病院や介護施設などに設置したベッドにおいて、患者や被介護者の手の届く範囲内に、必需品たる小物を収納することで、患者などの利便性を高めると共に、ベッド周りを整理整頓するベッドサイド小物入れに関し、より詳しくは、ベッドがギャッジベッドである場合に、寝台部の「背上げ」に際しても、付設した状態のベッドサイド小物入れが邪魔になることなく、患者や被介護者の必需品である箱入りのティッシュペーパーをはじめとする小物を容易に取り出し可能としたベッドサイド小物入れに関する。
【背景技術】
【０００２】
病院や介護施設などのベッドでは、物を置くスペースが充分でなく、且つ患者や被介護者の身体の自由が利きづらいため、患者などは必需品たる小物を自分の手の届く範囲内に置くことが望ましい。ところが、枕元に種々雑多の小物を雑然と置くことになって、必要とする小物をうまく取り出せなかったり、知らぬ間にこれら小物を床に落としてしまったりすることがしばしば起こるのが現状である。このような現状から、患者や被介護者の必需品たる小物を枕元近くに置くことが出来るのに、これら小物を床に落としたりすることがなく、整理整頓が出来て必要とする小物を直ぐに取り出せるようにしたベッドサイド小物入れとして下記の発明が知られている。
【特許文献１】特開２００５−１１０２９１号公報
【特許文献２】特開２００５−１３１３６８号公報
【０００３】
特許文献１のベッドサイド小物入れは、図１０に示すように、種々の小物を載置する収納部５０を備えた本体５１と、この本体５１の下面から突出し且つサイド部、すなわち、サイドレールを固定するための複数の保持穴に挿入固定できる脚部５２と、からなる。これにより、サイドレール固定の複数の保持穴に本体５１の脚部５２を挿入して、ベッドサイド小物入れをサイドレールの代わりに固定すれば、その収納部５０に種々の小物を載置することが出来る。したがって、患者や被介護者は、このベッドサイド小物入れにより、自分の枕元近くに必需品たる小物を置くことが出来、知らずにこれら小物を床に落とすこともなく、必要な小物を直ぐに取り出すことが出来る。
【０００４】
また、特許文献２のベッドサイド小物入れは、図１１に示すように、内部または裏側に芯材を有し、ベッドのヘッド部、すなわち、ヘッドボードないしパイプに取り付け可能な基布５３を備え、この基布５３の正面に、該正面側にティッシュペーパーの取出し口５４を有するティッシュペーパー収納箱入れ５５と、複数の物品収納用のポケット５６…とを設け、且つ、複数のポケット５６…のうち少なくとも１つのポケット５６ａをメッシュ布地で形成したものである。これにより、ベッドのヘッド部５７ないしパイプに、ベッドサイド小物入れを、これの基布５３をバンド５８により締め付けることで、固定すれば、ティッシュペーパー収納箱入れ５５にティッシュペーパーを、複数のポケット５６…に種々の小物を、それぞれ収納することが出来る。したがって、患者や被介護者は、特許文献１の場合と同様に、自分の枕元近くに必需品の小物を置け、これら小物を床に落とすこともなく、必要な小物を直ぐに取り出すことが出来る。
【発明の開示】
【発明が解決しようとする課題】
【０００５】
上記特許文献１のベッドサイド小物入れは、ベッドのサイドレールの代わりに取り付け出来るが、ヘッド部には取り付けすることができないから、ベッドの幅方向にのみスペースを取ることになって、病室や介護室内に複数のベッドを配置する場合の制約要因となる。  すなわち、病室や介護室の形状によっては、ベッドの長手方向にスペースが取れるが、幅方向にはあまりスペースが取れないことがあり（その逆の場合もある）、その場合にはベッドサイド小物入れが直接的に通行の邪魔となる。
【０００６】
上記特許文献２のベッドサイド小物入れは、ヘッド部ないしパイプにベッド側に面して設けられているから、ベッドがギャッジベッドである場合に、寝台部の昇降、つまり、「背上げ」するに際して、特に出っぱりの大きいティッシュペーパー収納箱入れ５５が邪魔になる可能性が高く、最悪ベッドサイド小物入れを取り外さなければ、「背上げ」できないことも生じる危惧がある。
【０００７】
そこで、本発明の目的は、患者などの必需品たる小物をベッドの枕元近くに置くことが出来、これら小物を床に落としたりすることがなく、整理整頓が出来て必要とする小物を直ぐに取り出せ、しかも、ベッドの機能や配置条件を損なうことの無いベッドサイド小物入れを提供することにある。
【課題を解決するための手段】
【０００８】
本発明は、上記目的を達成するために提案されたものであって、下記の構成からなることを特徴とするものである。
すなわち、本発明によれば、複数のポケットを有し、ベッドのヘッド部ないしサイド部に跨乗自在である布製の小物収納具と、前記ヘッド部ないし前記サイド部に跨乗した状態の前記小物収納具を跨乗して止める取付金具とからなることを特徴とするベッドサイド小物入れが提供される。
【０００９】
また、本発明によれば、上記のベッドサイド小物入れに、ティッシュペーパーの取出し口を有すると共に前記取付金具の跨乗部上に着脱自在とした箱入りティッシュペーパー収納部を載置させたことを特徴とするベッドサイド小物入れが提供される。
【００１０】
また、本発明によれば、前記取付金具は、前記ベッドのヘッド部ないしサイド部に対する跨乗部と挟み部とで構成され、前記小物収納具の外側を構成する布に設けた挿通孔内に通すことで、前記ヘッド部ないし前記サイド部に跨乗状態の前記小物収納具を跨乗して設置する際、これらヘッド部ないしサイド部に直接当接しないようにした請求項１または２記載のベッドサイド小物入れが提供される。
【００１１】
また、本発明によれば、前記取付金具は、前記跨乗部の長さが調整可能とされて、その調整範囲内で前記ヘッド部ないし前記サイド部に跨乗され前記小物収納具が止められるようにしたベッドサイド小物入れが提供される。
【００１２】
また、本発明によれば、前記小物収納具の複数のポケットのうち少なくとも１つは、ポケット内を透視可能な柔軟素材にて作られているベッドサイド小物入れが提供される。
【００１３】
また、本発明によれば、前記複数のポケットは、前記ヘッド部ないし前記サイド部に跨乗してなる前記小物収納具のベッド側及び反ベッド側の双方に設けられているベッドサイド小物入れが提供される。
【発明の効果】
【００１４】
本発明のベッドサイド小物入れは、ベッドのヘッド部ないしサイド部に、複数のポケットを有する布製の小物収納具を跨乗させ、さらにその上から取付金具を跨乗させて小物収納具を止めるものであり、患者などの必需品たる小物をベッドの枕元近くの小物収納具に収納出来るため、これら小物を床に落とすことがなく、整理整頓が出来て必要とする小物を直ぐに取り出せ、しかも、ベッドのヘッド部ないしサイド部のいずれにも小物収納具を設置できるから、ベッドの機能や配置条件に充分配慮することが出来、これらを損なうことが無い効果がある。
【００１５】
また、本発明のベッドサイド小物入れは、取付金具の跨乗部上に箱入りティッシュペーパー収納部を取り付け、その状態の取付金具で、ベッドのヘッド部ないしサイド部に跨乗させてある小物収納具に跨乗して止めるため、上記の効果に加えて、一番の出っぱりが予測される箱入りティッシュペーパー収納部をヘッド部ないしサイド部の上方、つまり、縦方向に載置するから、ベッドの機能や配置条件に充分配慮することが出来、これらを損なうことが一層緩和される効果がある。
【００１６】
また、本発明のベッドサイド小物入れは、小物収納具の布に設けた挿通孔内に取付金具を通し、その状態でヘッド部ないしサイド部に跨乗状態の小物収納具を跨乗して止めることができるため、上記の効果に加えて、取付金具の金属部分がヘッド部ないしサイド部に直接当たらず、これらに傷を付けない効果がある。
【００１７】
また、本発明のベッドサイド小物入れは、ヘッド部ないしサイド部の厚みに合わせて取付金具の跨乗部の長さを調節して、小物収納具を跨乗して止めることもできる。この場合は、上記の効果に加えて、ヘッド部ないしサイド部から小物収納具が緩くて外れたり、小物収納具が小さくて跨乗して止めることが出来なかったりすることが無くなる効果がある。
【００１８】
また、本発明のベッドサイド小物入れは、透視可能な柔軟素材にて作られているポケット内に収納している小物は、そのままの状態で外部から確認され、柔軟素材のポケットの上からタッチし、操作も出来る。したがって、上記の効果に加えて、ポケット内の小物を外に出すことなく確認出来、その小物に対して柔軟素材のポケットを通して必要な動作を加えることが出来る。
【００１９】
また、本発明のベッドサイド小物入れは、ヘッド部ないしサイド部に跨乗している小物収納具のベッド側及び反ベッド側双方に設けられているポケットに小物を入れることが出来る。この場合は、上記の効果に加えて、利用頻度の高い小物をベッド側のポケットに入れ、利用頻度の低い小物や嵩張るものは反ベッド側のポケットに入れることが出来、ベッドの機能や配置条件により一層配慮することが出来る効果がある。
【発明を実施するための最良の形態】
【００２０】
以下に、図面を参照して本発明を実施するための最良の形態を説明する。
【実施例１】
【００２１】
図１は本発明の実施の形態を示すベッドサイド小物入れの断面図、図２は図１のベッドサイド小物入れの取付金具の断面図、図３は図２の部分拡大図、図４は図１のベッドサイド小物入れをベッドのヘッド部に設置した状態の斜視図、図５は図１のベッドサイド小物入れの小物収納具をベッドのヘッド部に設置した状態の斜視図、図６は図１のベッドサイド小物入れの箱入りティッシュペーパー収納部をベッドのヘッド部に載置した状態の斜視図である。
図面において、ベッドサイド小物入れ１は、複数のポケット２を有しベッド３のヘッド部４ないしサイド部５（図９参照）に跨乗自在である布製の小物収納具６と、ヘッド部４ないしサイド部５に跨乗した状態の小物収納具６をその上から跨乗して止める取付金具７と、からなるものである。さらに、このベッドサイド小物入れ１に、ティッシュペーパーの取出し口８を有すると共に取付金具７の跨乗部９上に着脱自在とした箱入りティッシュペーパー収納部１０を付加させても良い。
【００２２】
布製の小物収納具６は、表地２０と裏地２１とで基体２２を形成している。この基体２２は、その長手方向ほぼ中間部にベッド３のヘッド部４ないしサイド部５に跨乗する跨乗部２２ａを位置させ、この跨乗部２２ａを境にしてその両側の表地２０ａ、２０ｂに複数のポケット２を有している。すなわち、これら複数のポケット２は、ヘッド部４ないしサイド部５に跨乗してなる小物収納具６のベッド側、すなわち表地２０ａ側、反ベッド側、すなわち表地２０ｂ側の双方に設けられていることになる。
【００２３】
ベッド側の表地２０ａには、内側中ポケット２３及び内側小ポケット２４があり、さらに、内側中ポケット２３に外側小ポケット２５、２６が取り付けられている。そして、内側小ポケット２４は、透視可能な柔軟素材、例えば、この実施例ではその一部に伸縮するネット２７が張られている。したがって、内側小ポケット２４内の小物を外に出すことなく中身を確認出来、その小物に対してネット２７を通して必要な動作、例えば、小物が看護師コール２８（図７参照）であれば、内側小ポケット２４内に入ったままで、患者は看護師コール２８のボタン２８ａを押して、看護師とコミニュケーションをとることができる。
【００２４】
一方、反ベッド側の表地２０ｂには、外側大ポケット２９が取り付けられ、単行本や雑誌、新聞などの大きなものが収納される。なお、ベッド側に表地２０ｂの外側大ポケット２９を位置させ、反ベッド側に表地２０ａの内側中ポケット２３、内側小ポケット２４及び外側小ポケット２５、２６を位置させても差し支えない。
【００２５】
基体２２の跨乗部２２ａに挿通孔３０、３０を設け、これらの挿通穴３０に取付金具７を通すことで、基体２２に取付金具７を取り付けることが出来る。そして、この挿通穴３０に取付金具７を通した後、その基体２２の裏地２１をヘッド部４ないしサイド部５に当てた状態で、取付金具７を跨乗させれば、ヘッド部４ないしサイド部５に小物収納具６を設置できる。挿通孔３０は、外側の布地、つまり、表地に形成されており、この挿通孔３０に取付金具７を通すから、これらヘッド部４及びサイド部５には基体２２の裏地２１が当たることになり、取付金具７がこれらに直接当接することがない。なお、図１、４、５における内側小ポケット２４上方にあるバンド３１は、マジックテープ（登録商標）などの呼称で知られている面ファスナー３２にて着脱自在にされており、前記看護師コール２８のコード２８ｂを支持するためのものである。
【００２６】
前記取付金具７は、図２に示すように、コ字状をなし跨乗部９と挟み部４０とで構成され、その材質は通常ステンレス製である。この取付金具７は、１個でも良いが、ヘッド部４ないしサイド部５に小物収納具６を安定的に設置するためには両サイド近傍に２個あるのが良い。そして、２個の取付金具７の一方あるいは双方とも、跨乗部９の長さが調整可能とされているのが良く、その調整範囲内でヘッド部４ないしサイド部５に跨乗されて、前記小物収納具６が止められるようにしている。すなわち、調整機能のある取付金具７は、その跨乗部９で２分割し、取付金具７の半体７ａの跨乗部９同士を連結具４１にて連結し、その連結状態を矢線ｙ方向にスライドさせて跨乗部９の長さを調整することになる。なお、連結具４１はゴムなどの弾力性があり、且つある程度の剛性を有する素材にて構成されていることが望ましい。
【００２７】
前記箱入りティッシュペーパー収納部１０は布製で、表地４２と裏地４３との２重構造であり、箱部４４と蓋部４５とが形成されて、市販の箱入りティッシュペーパー４６が入る寸法となっている。そして、箱部４４の端部に剔り部分４４ａを形成し、同じく蓋部４５の端部にも剔り部分４５ａを形成して、箱部４４に蓋部４５を合わせて面ファスナー４７などで止めて、これら剔り部分４４ａ及び剔り部分４５ａにて、上述のティッシュペーパーの取出し口８を形成している。また、箱部４４の底の裏地４３下面にプレート４８を取り付け、さらに、箱部４４の底の表地４２に挿通穴４９、４９を設けて、これらの挿通孔４９に取付金具７を通すことで、箱入りティッシュペーパー収納部１０に取付金具７を取り付けることが出来る。なお、プレート４８は、箱入りティッシュペーパー収納部１０の箱部４４の形状をより安定に保持させるためのものであり、このプレート４８がなくても、ベッドサイド小物入れとしての機能が果たせないものではない。
【００２８】
次に、上記構成になるベッドサイド小物入れ１の使用方法を詳述する。
まず、ベッド３のヘッド部４の厚みを測り、その厚みに合わせて、取付金具７の半体７ａを連結具４２内で矢線ｙ方向にスライドさせて、取付金具７の跨乗部９の長さを調整する。次に、箱入りティッシュペーパー収納部１０の一方の挿通孔４９に取付金具７の一方の挟み部４１を通して、さらに、他方の挿通孔４９から一方の挟み部４１を通し出しすることで、箱入りティッシュペーパー収納部１０に取付金具７を取り付ける。そして、この箱入りティッシュペーパー収納部１０を取り付けた状態の取付金具７を小物収納具６に取り付ける。
【００２９】
すなわち、小物収納具６の一方の挿通孔３０に取付金具７の一方の挟み部４１を通し、さらに、他方の挿通孔３０から他方の挟み部４１を通しすことで、小物収納具６に、箱入りティッシュペーパー収納部１０取付状態の取付金具７を取り付ける。この状態の小物収納具６を、ベッド３のヘッド部４に跨乗させて設置する。したがって、取付金具７の挟み部４０の弾性力にて、ベッド３のヘッド部４にベッドサイド小物入れ１を跨乗状態で挟み止めているから、このヘッド部４からベッドサイド小物入れ１が簡単に外れることが無い。その一方で、挟み止めであるから、ヘッド部４上でベッドサイド小物入れ１を容易にスライドさせて、移動させることが出来、さらに、出っぱりの大きい箱入りティッシュペーパー収納部１０がヘッド部４上に載置されるから、全体的に縦方向の設置構成となり、ベッド３の「背上げ」に際しても、寝台部が箱入りティッシュペーパー収納部とぶつかるなどの支障を来すことが無い。
【００３０】
そして、箱入りティッシュペーパー収納部１０の蓋部４５を面ファスナー４７から引き剥がし、箱部４４に箱入りティッシュペーパー４６を収納して、再び蓋部４５を面ファスナー４７に貼り付ける。次に、小物収納具６の内側小ポケット２４に看護師コール２８を入れ、コード２８ｂをバンド３１にて支持させて、内側小ポケット２４から看護師コール２８が飛び出ないようにする。このため、患者は、内側小ポケット２４のネット２７を通してボタン２８ａを確認出来、そのボタン２８ａを押して看護師とコミニュケーションをとることが出来る。また、内側中ポケット２３には封筒や写真集など比較的大きいものを収納し、外側小ポケット２５、２６には携帯電話やテレビのリモコンあるいはボールペンや鉛筆などを収納できる。加えて、反ベット側の外側大ポケット２９には単行本や雑誌、新聞などの大きく重たいものが主に収納出来るようにされている。
【００３１】
図９は、ベッド３のサイド部５にベッドサイド小物入れ１を取り付けたものあり、この場合、特に、本願の取付金具７の調整機能が有効に働くことになる。すなわち、ベッドのヘッド部とサイド部では幅が異なることが多いが、取付金具７に調整機能を保たせることにより、ヘッド部４でも、サイド部５でも、簡単な操作で適用可能にすることが出来る。
【００３２】
なお、小物収納具６の単独使用、箱入りティッシュペーパー収納部１０の単独使用、さらに、既述の通り、ベッド側に外側大ポケット２９を位置させ、反ベッド側に内側中ポケット２３、内側小ポケット２４及び外側小ポケット２５、２６を位置させても、一向差し支えない。
【００３３】
以上、本発明の実施例１を説明したが、具体的な構成はこれに限定されず、本発明の要旨を逸脱しない範囲での変更は適宜可能であることは理解されるべきである。
【産業上の利用可能性】
【００３４】
本発明のベッドサイド小物入れは、患者や療養者などの必需品たる小物をまとめてベッドの枕元近くに置き、これら小物を床に落すこともなくて、整理整頓が出来て必要とする小物を直ぐに取り出したいような場合に利用可能性高く、しかも、ベッドの機能や配置条件を損ないたくないような場合にその利用可能性が極めて高くなる。
【図面の簡単な説明】
【００３５】
【図１】本発明の実施の形態を示すベッドサイド小物入れの断面図である。
【図２】図１のベッドサイド小物入れの取付金具の断面図である。
【図３】図１の部分拡大図である。
【図４】図１のベッドサイド小物入れをベッドのヘッド部に設置した状態の斜視図である。
【図５】図１のベッドサイド小物入れの小物収納具だけをベッドのヘッド部に設置した状態の斜視図である。
【図６】図１のベッドサイド小物入れの箱入りティッシュペーパー収納部だけをベッドのヘッド部に設置した状態の斜視図である。
【図７】本発明のベッドサイド小物入れに小物を収納しベッドのヘッド部に設置した状態の斜視図である。
【図８】本発明の実施の形態におけるベッドサイド小物入れの使用状態を示す斜視図である。
【図９】図１のベッドサイド小物入れに小物を収納しベッドのサイド部に設置した状態の斜視図である。
【図１０】従来例のベッドサイド小物入れを示す斜視図である。
【図１１】従来例のベッドサイド小物入れを示す斜視図である。
【符号の説明】
【００３６】
１：ベッドサイド小物入れ
２、５６、５６ａ：ポケット
３：ベッド
４、５７：ヘッド部
５：サイド部
６：小物収納具
７：取付金具
７ａ：半体
８、５４：取出し口
９、２２ａ：跨乗部
１０、５５：箱入りティッシュペーパー収納部
２０、２０ａ、２０ｂ、４２：表地
２１、４３：裏地
２２：基体
２３：内側中ポケット
２４ ：内側小ポケット
２５、２６：外側小ポケット
２７：ネット
２８：看護師コール
２８ａ：ボタン
２８ｂ：コード
２９：外側大ポケット
３０、４９：挿通孔
３１、５８：バンド
３２、４７：面ファスナー
４０：挟み部
４１：連結具
４４：箱部
４４ａ、４５ａ：剔り部
４５：蓋部
４６：箱入りティッシュペーパー
４８：プレート
５０：収納部
５１：本体
５２：脚部
５３：基布
【図１】
2010068906.tif 000003
【図２】
2010068906.tif 000004
【図３】
2010068906.tif 000005
【図４】
2010068906.tif 000006
【図５】
2010068906.tif 000007
【図６】
2010068906.tif 000008
【図７】
2010068906.tif 000009
【図８】
2010068906.tif 000010
【図９】
2010068906.tif 000011
【図１０】
2010068906.tif 000012
【図１１】
2010068906.tif 000013